(57)【要約】【課題】  本発明は、冷房または暖房運転の時、一定な温度と湿度を有する室外空気が室内空間に流れ込むようにすることで、室内空気が汚染されたり乾燥することを防止する空気調和機の冷暖房システムを提供する。【解決手段】  本発明は、室外空気が吸入される第１通路と、前記第１通路と一定部分交差し室内空気が吸入される第２通路とからなるダクトと、前記第１、第２通路の交差部分に設けられて室内外空気を間接的に熱交換する第１、第２流路からなる再生式熱交換機と、前記ダクトの第１、第２通路に連結されて室内外空気が流れ込み、前記流れ込んだ空気が吐き出される第１、２吐き出し部が形成されるケースと、前記第１、２通路を介して室内外空気がケースの内部に流れ込み、前記流れ込んだ室内外空気を第１、２吐き出し部を介して吐き出す室内外空気と熱交換する第１、第２熱交換機を含めてなることを特徴とする。【選択図】      図１
2004219053.tif 000002
【特許請求の範囲】
【請求項１】
室外空気が吸入される第１通路と、前記第１通路と一定部分交差し室内空気が吸入される第２通路とからなるダクトと、
前記第１、第２通路の交差部分に設けられて室内外空気を間接的に熱交換する第１、第２流路からなる再生式熱交換機と、
前記ダクトの第１、第２通路に連結されて室内外空気が流れ込み、前記流れ込んだ空気が吐き出される第１、２吐き出し部が形成されるケースと、
前記第１、２通路を介して室内外空気をケースの内部に流し込み、前記流し込んだ室内外空気を第１、２吐き出し部を介して吐き出す室内外空気と熱交換する第１、第２熱交換機を含めてなる空気調和機の冷暖房システム。
【請求項２】
前記再生式熱交換機の第１、第２流路を交代に積層して第１流路と第２流路とが交互に層を成すように形成される請求項１に記載の空気調和機の冷暖房システム。
【請求項３】
前記第１、第２流路はアルミニウムからなる請求項２に記載の空気調和機の冷暖房システム。
【請求項４】
前記再生式熱交換機の第１、第２流路は、ジグザグ状に曲折して交差するように積層する複数のプレートと、
前記第１、第２流路を区切るために前記曲折したプレートの上下部に提供される平面プレートからなる請求項２に記載の空気調和機の冷暖房システム。
【請求項５】
前記第1流路は第１通路と連通するように構成され、前記第２流路は第２通路と連通するように構成される請求項４に記載の空気調和機の冷暖房システム。
【請求項６】
前記第１、２送風装置は、前記各通路と吐き出し部との間に提供される請求項１に記載の空気調和機の冷暖房システム。
【請求項７】
前記第１、２送風装置は、ケースの内部に設けられる請求項６に記載の空気調和機の冷暖房システム。
【請求項８】
前記第１、２熱交換機は前記ケースの第１、２吐き出し部に対応するように設けられる請求項１に記載の空気調和機の冷暖房システム。
【請求項９】
前記ケースの内部には、湿気だけを透過する半透膜により分割形成され除湿物質を収容する第１、２空間部が形成され、
前記除湿物質は、前記各空間部の上部と下部とを連結する第１、第２ポンピング装置によって各空間部の上部にポンピングされる請求項１に記載の空気調和機の冷暖房システム。
【請求項１０】
前記除湿物質は、シリカゲルである請求項９に記載の空気調和機の冷暖房システム。
【請求項１１】
前記第１、２ポンピング装置は、前記第１、２熱交換機と熱接触するように設けられる請求項９に記載の空気調和機の冷暖房システム。
【請求項１２】
前記第１、２ポンピング装置は、
前記第１、２空間部の上部と下部とを連結して除湿物質の流動経路を形成し、第１、２熱交換機と熱接触するように設けられる第１、２配管と、
前記各配管に設けられて除湿物質を上部にポンピングする第１、２ポンプを含めてなる請求項１１に記載の空気調和機の冷暖房システム。
【請求項１３】
前記第１、第２ポンピング装置は、前記第１、第２配管の上端部にそれぞれ提供される噴射ノズルを更に含めてなる請求項１２に記載の空気調和機の冷暖房システム。
【請求項１４】
前記第1空間部は、室外空気が吸入される第１通路と連結され、前記第２空間部は室内空気が吸入される第２通路に連結される請求項９に記載の空気調和機の冷暖房システム。
【請求項１５】
前記第１、２空間部に収容された除湿物質水面の上部には第１、２吐出し部が形成されると共に、前記ダクトの第１、２通路が連結される請求項９に記載の空気調和機の冷暖房システム。
【請求項１６】
前記ダクトの第１、２通路と前記第１、２吐き出し部との間に前記第１、２送風装置が提供される請求項１５に記載の空気調和機の冷暖房システム。
【請求項１７】
前記再生式熱交換機の第１、２流路は交互に積層されて第１流路と第２流路が交互に層を成すように形成される請求項９に記載の空気調和機の冷暖房システム。
【請求項１８】
前記再生式熱交換機の第１、２流路は、ジグザグ状に曲折して交差するように積層される多数のプレートと、
前記第１、２流路を区切るために前記曲折されたプレートの上下部に提供される平面プレートからなる請求項１７に記載の空気調和機の冷暖房システム。
【請求項１９】
前記第１流路は第１通路と連通するように構成され、前記２流路は第２通路と連通するように構成される請求項１８に記載の空気調和機の冷暖房システム。
【請求項２０】
前記第１、２熱交換機は前記ケースの第１、２吐き出し部に対応するように設けられる請求項９に記載の空気調和機の冷暖房システム。
【発明の詳細な説明】
【技術分野】
【０００１】
本発明は、空気調和機の冷暖房システムに関するもので、特に、冷暖房機能、換気機能、加湿及び除湿機能を備えた空気調和機の冷暖房システムに関するものである。
【背景技術】
【０００２】
一般に、空気調和機は、作動流体が相変化を行なう時、周囲から熱を吸収したり、周囲へ熱を放出する現象を用いて室内空間を冷房したり、暖房する装置をいう。
【０００３】
以下、一般の空気調和機の冷暖房システムについて添付図面を参照して説明する。
図３は一般的な空気調和機の冷暖房システムを示した構成図である。
図３を参照すれば、一般の空気調和機の冷暖房システムは圧縮機１、四方弁２、室外熱交換機３、室内熱交換機４及び膨張装置５から構成される。前記室外熱交換機３の周辺には室外ファン３ａが設けられ、室内熱交換機４の周辺には室内ファン４ａが設けられる。
【０００４】
かかる空気調和機の冷暖房システムは制御部によって四方弁２を調節して冷媒を片側または他側に流動させて室内を冷房または暖房する。
まず、前記空気調和機の冷暖房システムが冷房運転される場合について説明する。
前記圧縮機１において高温高圧に圧縮された冷媒は四方弁２が調節されることによって室外熱交換機３に圧送され、前記室外熱交換機３で室外ファン３ａの回転によって室外空気と熱交換しながら凝縮された冷媒は膨張装置５に圧送される。前記膨張装置５で低温低圧に膨張された冷媒は、室内熱交換機４で室内空気と熱交換した後更に圧縮機１へ送られる。この時、前記室内空気は室内ファン４ａの回転によって室内熱交換機４を通過しながら冷却した後に更に室内空間に吐き出されて室内空間を一定温度で冷房する。
【０００５】
まず、前記空気調和機の冷暖房システムが暖房運転される場合について説明する。
前記圧縮機１において高温高圧に圧縮された冷媒は四方弁２が調節されることによって室内熱交換機４に圧送され、前記室内熱交換機４には高温の冷媒が流動する。この時前記室内空気は、室内ファン４ａが回転することによって室内熱交換機４を通過しながら加熱された後、更に室内空間に吐き出されて室内空間を一定温度で暖房する。
【０００６】
また、前記室内熱交換機４で凝縮された冷媒は膨張装置５へ送られ、前記膨張装置５で低温低圧に膨張された冷媒は室外熱交換機３で室外空気と熱交換した後に更に圧縮機１へ送られる。
このように、空気調和機の冷暖房システムは前記のような過程を繰り返して室内空間をユーザーの希望温度に一定に冷房または暖房する。
しかしながら、前記空気調和機の冷暖房システムは、室内空気を冷却または加熱して室内空間に繰り返して循環させるので、冷暖房運転が長時間続くと室内空気が汚染され乾燥するという問題がある。
【０００７】
また、室内空気が汚染されたり乾燥するとユーザーが不快感を感ずることになり、ユーザーはドアを開いて室内空間を換気する。この時、一定の温度状態を有する室内空気が外部へ排出されるのでエネルギー損失が大きく発生し、換気の後に室内空間を更に一定の状態で冷房または暖房しなければならないため消費電力が大きく増加するという問題があった。
【発明の開示】
【発明が解決しようとする課題】
【０００８】
本発明は、上記関連技術の問題点を解決するためのもので、その目的は冷房または暖房運転の時、一定の温度と湿度を有する室外空気が室内空間に流れ込むようにすることで室内空気が汚染されたり乾燥したりすることを防止する空気調和機の冷暖房システムを提供することが目的である。
【０００９】
本発明の他の目的は、熱損失を減らして少ないエネルギーでも冷暖房が可能な空気調和機の冷暖房システムを提供することが目的である。
【課題を解決するための手段】
【００１０】
前記のような目的を達成するための本発明の一形態は、室外空気が吸入される第１通路と、前記第１通路と一定部分交差し室内空気が吸入される第２通路とからなるダクトと、前記第１、第２通路の交差部分に設けられて室内外空気を間接的に熱交換する第１、第２流路からなる再生式熱交換機と、前記ダクトの第１、第２通路に連結されて室内外空気が流れ込み、前記流れ込んだ空気が吐き出される第１、２吐き出し部が形成されるケースと、前記第１、２通路を介して室内外空気をケースの内部に流し込み、前記流し込んだ室内外空気を第１、２吐き出し部を介して吐き出す室内外空気と熱交換する第１、第２熱交換機を含めてなる空気調和機の冷暖房システムを提供する。
【００１１】
前記再生式熱交換機の第１、第２流路を交代に積層して第１流路と第２流路とが交互に層を成すように形成され、前記第１、第２流路はアルミニウムからなる。
【００１２】
前記再生式熱交換機の第１、第２流路は、ジグザグ状に曲折して交差するように積層する複数のプレートと、前記第１、第２流路を区切るために前記曲折したプレートの上下部に提供される平面プレートからなり、前記第1流路は第１通路と連通するように構成され、前記第２流路は第２通路と連通するように構成される。
【００１３】
前記第１、２送風装置は、前記各通路と吐き出し部との間に提供され、前記第１、２送風装置は、ケースの内部に設けられ、前記第１、２熱交換機は前記ケースの第１、２吐き出し部に対応するように設けられる。
【００１４】
前記ケースの内部には、湿気だけを透過する半透膜により分割形成され除湿物質を収容する第１、２空間部が形成され、前記除湿物質は、前記各空間部の上部と下部とを連結する第１、第２ポンピング装置によって各空間部の上部にポンピングされる。
【００１５】
前記除湿物質は、シリカゲルであり、前記第１、２ポンピング装置は、前記第１、２熱交換機と熱接触するように設けられ、前記第１、２ポンピング装置は、前記第１、２空間部の上部と下部とを連結して除湿物質の流動経路を形成し、第１、２熱交換機と熱接触するように設けられる第１、２配管と、前記各配管に設けられて除湿物質を上部にポンピングする第１、２ポンプを含めてなる。
【００１６】
前記第１、第２ポンピング装置は、前記第１、第２配管の上端部にそれぞれ提供される噴射ノズルを更に含めてなり、また、前記ケースの内部に形成された前記第1空間部は、室外空気が吸入される第１通路と連結され、前記第２空間部は室内空気が吸入される第２通路に連結される。
【００１７】
前記第１、２空間部に収容された除湿物質水面の上部には第１、２吐出し部が形成されると共に、前記ダクトの第１、２通路が連結され、前記ダクトの第１、２通路と前記第１、２吐き出し部との間に前記第１、２送風装置が提供される。
【００１８】
前記のようにケースの内部に第１、２空間部が形成される場合にも、前記再生式熱交換機の第１、２流路は交互に積層されて第１流路と第２流路が交互に層を成すように形成され、また、前記再生式熱交換機の第１、２流路は、ジグザグ状に曲折して交差するように積層される多数のプレートと、前記第１、２流路を区切るために前記曲折されたプレートの上下部に提供される平面プレートからなることが更に望ましい。
【００１９】
前記第１流路は第１通路と連通するように構成され、前記２流路は第２通路と連通するように構成され、前記第１、２熱交換機は前記ケースの第１、２吐き出し部に対応するように設けられる。
【発明の効果】
【００２０】
本発明による空気調和機の冷暖房システムは次のような効果がある。
第一、先ずは、室内空間を冷暖房する時に室外空気を室内空間に吐き出して換気と冷暖房を同時に行うことができる。従って、室内空間を長時間の間、冷暖房しても室内空気を清潔で、一定な湿度を有する状態で維持できる効果がある。
【００２１】
第二、また、前記冷暖房システムが換気専用モードで運転される場合、室内空気の熱エネルギーを再生式熱交換機で所定量回収するので室内空間の温度差が大きくならない。従って、ドアを開けて室内を換気することに比べて熱損失を大きく減らすことができる効果がある。
【００２２】
第三、前記室外空気は再生式熱交換機と除湿物質を通過しながら冷却または加熱され、前記室外空気は第１熱交換機を経由しながら更に冷却または加熱される。
従って、同一容量の第１熱交換機を適用しても冷暖房性を向上できる効果がある。
【００２３】
以下本発明の好適な一実施態様について説明するが、下記実施態様に限定されず、本発明の技術思想に基づいて種々の変形が可能である。
【発明を実施するための最良の形態】
【００２４】
以下、本発明の望ましい実施形態を添付の図面に基づいて詳細に説明する。
図１は本発明による空気調和機の冷暖房システムで、ダクト１０、再生式熱交換機１３、ケース２０、第１、第２送風装置２５、２６、ヒートポンプ装置を含めてなる。
【００２５】
前記ダクト１０は、室外空気を吸入する第１通路１１と室内空気を吸入する第２通路１２からなる。前記第１通路１１と第２通路１２は所定部分交差するように形成され、前記交差部分には再生式熱交換機１３が設けられる。前記再生式熱交換機１３には室内及び室外空気が通過しながら間接的に熱交換するように第１、２流路１４、１５が形成される。この時、前記再生式熱交換機１３を成す第１、２流路１４、１５は積層して第１流路１４と第２流路１５とが層をなすように形成することが望ましい。  
【００２６】
また、前記再生式熱交換機１３は図２に示すように、複数の第１流路１４と第２流路１５とが交互に積層して形成されることが更に望ましい。ここで、前記再生式熱交換機１３の第１、２流路１４、１５はジグザグ状に曲折して交差するように積層される複数のプレート１３ａと前記曲折されたプレートの上下部１３ａに提供され前記第１、２流路１４、１５を区切る複数の平板プレート１３ｂからなる。
【００２７】
かかる構造は、前記各流路１４、１５が一つに形成される場合に比べて各流路１４、１５を通過する室内及び室外空気の熱交換面積を増加させ、より効率的な熱交換を可能とする。また、前記第１流路１４は、室外空気を吸入する第１通路１１と連通し、前記第２流路１５は室内空気を吸入する第２通路１２に連通される。このような第１、２流路１４、１５は熱伝達及び価格などを考慮してアルミニウムないし銅で製作可能である。
【００２８】
なお、前記ケース２０は前記ダクト１０の第１、２通路１１、１２に各々連結されて第１、２通路１１、１２を介して吸入される室内外の空気を流入させる。また、前記ダクト１０の各通路１１、１２と前記各吐き出し部２３、２３ａの間には第１、２送風装置２５、２６が設けられる。かかる送風装置２５、２６は各通路を介して流れ込んだ空気を吐き出し部２３、２３ａを介してケース２０の外部へ吐き出す機能を行う。
【００２９】
また、前記ケース２０の第１、２吐き出し部２３、２３ａから吐き出される空気は前記ヒートポンプ装置によって熱交換する。かかるヒートポンプ装置は圧縮機３３、四方弁３４、第１、２熱交換機３１、３２及び膨張装置３５を含めてなる。
【００３０】
前記ヒートポンプ装置の構造について更に詳しく説明する。
前記第１、第２熱交換機３１、３２はケース２０の各吐き出し部２３、２３ａに対応するように設けられ、前記第１、２吐き出し部２３、２３ａから吐き出される空気を熱交換する機能を行う。また、前記第１、２熱交換機３１、３２に連結された冷媒管Ｐには圧縮機３３、四方弁３４及び膨張装置３５が設けられる。前記圧縮機３３、四方弁３４、膨張装置３５は従来と同一の構造及び機能を有するものでこれに対する詳しい説明は省く。
【００３１】
なお、前記ケース２０の内部には湿気だけが透過されるようにする半透膜２４を設けることを追加して提示する。前記半透膜２４は前記第１、２通路１１、１２と連通するケース２０の内部空間を第１、２空間部２１、２２に分割する。また、前記第１空間部２１は室外空気を吸入する第１通路１１と連結し、前記第２空間部２２は室外空気を吸入する第２通路１２と連結する。また、前記第１、２吐き出し部２３、２３ａやはり前記各空間部２１、２２に形成される。
【００３２】
かかる前記第１、２空間部２１、２２には液体除湿物質（Ｄ１、Ｄ２）が収容される。除湿物質（Ｄ１、Ｄ２）とは、温度によって湿気を吸収したり、吸収した湿気を放出する性質を有する物質である。かかる除湿物質としては、シリカゲルが主に用いられる。
【００３３】
前記のように第１、２空間部に除湿物質が収容される場合には、前記各吐き出し部２３、２３ａは除湿物質の水面上部に形成され、各通路１１、１２もやはり除湿物質の水面上部に連結される。
【００３４】
また、前記第１、２空間部２１、２２の上部と下部は第１、２ポンピング装置によって連結され、かかる第１、２ポンピング装置は除湿物質を該当空間部の上部にポンピングして空気と接触する機能をする機能を行う。前記ポンピング装置はヒートポンプ装置を構成する第１、２熱交換機３１、３２と熱接触するように設けられることが望ましい。
【００３５】
かかる第１、２ポンピング装置について詳しく説明すると、前記各ポンピング装置は図１に示すように、第１、２空間部２１、２２の上下部を連結する第１、２配管２７、２７ａと前記各配管２７、２７ａに設けられる第１、２ポンプ２９、２９ａを含めてなる。前記第１、２配管２７、２７ａは除湿物質の流動経路を形成し、前記第１、２熱交換機３１、３２と熱接触するように設けられる。また、前記各ポンプ２９、２９ａは前記各配管２７、２７ａに設けられて除湿物質を上部にポンピングさせる。
【００３６】
また、前記第１、２ポンピング装置は前記各配管２７、２７ａの上端部に提供され、そして除湿物質を空気中に噴射する第１、２噴射ノズル２８、２８ａを更に含めてなる。
このように、構成された空気調和機の冷暖房システムは制御部の制御によって換気、冷暖房モードまたは換気専用モードで運転される。
【００３７】
まず、前記空気調和機の冷暖房システムが換気、冷房モードで運転される場合について説明する。
前記空気調和機の冷暖房システムはユーザーの選択によって夏のように暑い日には換気、冷房モードで運転される。この場合、前記第１、２送風装置２５、２６、第１、２ポンピング装置及びヒートポンプ装置が作動する。
【００３８】
この時、前記ヒートポンプ装置の冷媒は圧縮機３３、第２熱交換機３２、膨張装置３５及び第１熱交換機３１の順に流動すされる。従って、前記第１熱交換機３１は蒸発器として機能し、第２熱交換機３２は凝縮機として機能する。
前記第１、２送風装置２５、２６が稼動されることによって、前記第１通路１１に吸入された室外空気は再生式熱交換機１３の第１流路部１４を通過して第１空間部２１に流れ込み、前記第２通路１２に吸入された室内空気は再生式熱交換機１３の第２流路部１５を通過して第２空間部２２に流れ込む。
【００３９】
この時、前記室外空気と室内空気は再生式熱交換機１３を通過しながら間接的に熱交換される。従って、前記室内空気に含まれた熱エネルギーを一定量回収できるようになる。
次に、前記第１ポンピング装置は第１空間部２１の上部に除湿物質（Ｄ１）をポンピングして前記第１空間部２１の室外空気中に噴射する。この時、前記除湿物質（Ｄ１）は第１配管２７を通過する間に第１配管２７と熱的に接触している第１熱交換機３１により冷却される。このように噴射された除湿物質（Ｄ１）は冷却されて低温になった状態なであるので室外空気に含まれた湿気を吸収しながら下部に落ちる。
【００４０】
このように、第１空間部２１の除湿物質（Ｄ１）は室外空気中の湿気を吸収し、室外空気との熱交換を介して温度が多少上昇するが、前記第１熱交換機３１を経て更に冷却される。このような過程を繰り返すことによって第１熱交換機３１には乾燥した室外空気が送られる。
前記乾燥した室外空気は、第１熱交換機３１を経て冷却された後、室内空間に吐き出されて室内空間を一定温度で冷房させる。
【００４１】
なお、前記除湿物質に吸収された湿気は半透膜２４を通過して第２空間部２２に移動する。また、前記第２ポンピング装置は第２空間部２２の上部に除湿物質をポンピングして前記第２空間部２２の室内空気中に噴射させる。この時、前記除湿物質（Ｄ２）は第２配管２７ａを通過する間に第２配管２７ａに熱的に接触している第２熱交換機３２により加熱される。このように噴射された除湿物質（Ｄ２）は加熱されて温度が高温状態であるので、室内空気中に吸収されしている湿気を放出しながら下部へ落ちる。
【００４２】
このように、第２空間部２２の除湿物質（Ｄ２）は、室内空気の中に湿気を放出し、室内空気との熱交換を介して温度が多少下降するが、前記第２熱交換機３２を経て更に温度が上昇する。このような過程が繰り返して行われることによって、第２熱交換機３２には多湿な室内空気が送られて第２熱交換機３２を冷却する。
このように、前記空気調和機の冷暖房システムが換気、冷房モードで運転されると室内空間には乾燥した冷気が吐き出され、前記室外空気が室内空間に吐き出されて室内空間を換気する。
【００４３】
なお、前記空気調和機の冷暖房システムはユーザーの選択によって冬のような寒い冷たい日には、換気暖房モードで運転される。この場合にも前記第１、２送風装置２５、２６、第１、２ポンピング装置及ヒートポンプ装置が稼動される。
【００４４】
この時、前記ヒートポンプ装置の冷媒は圧縮機３３、第１熱交換機３１、膨張装置３５及び第２熱交換機３２順に流動される。従って、換気、冷房モードとは異なり、前記第１熱交換機３１は凝縮機として機能し、前記第２熱交換機３２は蒸発器として機能する。
【００４５】
前記第１、２送風装置２５、２６が稼動されることによって、前記第１通路１１に吸入された室外空気と第２通路１２に吸入された室内空気は再生式熱交換機１３を通過しながら間接的に熱交換する。この時、前記室内空気に含まれた熱エネルギーを一定量回収することができる。該熱交換された空気は第１、２空間部２１、２２に各々流れ込む。
【００４６】
また、前記第１ポンピング装置は、第１空間部２１の上部に除湿物質（Ｄ1）をポンピングして前記第１空間部２１の室外空気中に噴射する。この時とき、前記除湿物質（Ｄ１）は第１配管２７を通過する間に第１配管と熱的に接触されている第１熱交換機３１によって加熱される。このように噴射された除湿物質（Ｄ１）は加熱されて温度が高い状態であるので室外空気中に湿気を放出しながら下部に落ちる。
【００４７】
このように第１空間部２１の除湿物質（Ｄ１）は空気中に湿気を放出しながら温度が多少降下するが、前記第１熱交換機３１を経由しながら更に温度が上昇する。
このような過程が繰り返されることによって第１熱交換機３１には多湿になった空気が送られる。前記多湿になった空気は第１熱交換機３１を経由しながら加熱された後、室内空間に吐き出されて室内空間を加湿、暖房する。
【００４８】
なお、前記第２ポンピング装置は、第２空間部２２の上部に除湿物質（Ｄ２）をポンピングして前記第２空間部２２の室内空気中に噴射する。この時、前記除湿物質（Ｄ２）は第２配管２７ａを通過する間に第２熱交換機３２によって冷却される。このように噴射された除湿物質（Ｄ２）は冷却されて低温の状態で室内空気中に含まれた湿気を吸収しながら下部に落ちる。
【００４９】
このように第２空間部２２の除湿物質（Ｄ２）は空気に含まれた湿気を吸収し、空気との熱交換を介して温度が多少上昇するが、前記第２熱交換機３２を経由しながら更に温度が下降する。また、前記第２空間部２２の除湿物質（Ｄ２）に吸収された湿気は半透膜２４を通過して第１空間部２１に移動する。
【００５０】
このように、前記空気調和機の冷暖房システムが換気、暖房モードで運転しながら室内空間には多湿で暖かい空気が吐き出され、前記室外空気はが室内空間に吐き出されて室内空間を換気する。
【００５１】
また、前記冷暖房システムが換気専用モードで運転される場合について説明する。
この場合、前記第１、２送風装置２５、２６は稼動され、ヒートポンプ装置は稼動しない。また、前記第１、２ポンピング装置はユーザー希望の空気の条件によって稼動するかどうかを決定する。
【００５２】
前記第１、２送風装置２５、２６が稼動すると、前記第１通路１１に吸入された室外空気は再生式熱交換機１３を経て第１空間部２１に流れ込み、前記第２通路１２に吸入された室内空気は再生式熱交換機を経た後に第２空間部２２に流れ込む。
かかる過程で前記室外空気と室内空気は、再生式熱交換機１３を通過しながら間接的に熱交換する。この時、前記室内空気に含まれた熱エネルギーを一定量回収することができる。
【００５３】
また、前記室外空気は空気吐き出し部２３を介して室内空間に吐き出され、前記室内空気は空気吐き出し部２３ａを介して室外に吐き出される。
従って、前記空気調和機の冷暖房システムが換気専用モードで運転されても室内空気の熱エネルギーを一定部分更に回収して再度使用するので、室内空間の温度が急激に下降したり上昇したりすることはない。つまり、室内空間を更に冷暖房する時にも消費電力はより少なくてすむ。
このような換気専用運転は、換気、冷暖房モードで運転される中間中間に行われるか、独立的に運転され得る。
【図面の簡単な説明】
【００５４】
【図１】本発明による空気調和機の冷暖房システムを示す構成図である。
【図２】図１の空気調和機の冷暖房システムを構成する再生式熱交換機を示す斜視図である。
【図３】一般的な空気調和機の冷暖房システムを示す構成図である。
【符号の説明】
【００５５】
１０…ダクト
１１…第１通路
１２…第２通路
１３…再生式熱交換機
１３ａ…曲折されたプレート
１３ｂ…平板プレート
１４…第１流路
１５…第２流路
２０…ケース
２１…第１空間部
２２…第２空間部
２３…第１吐き出し部
２３ａ…第２吐き出し部
２４…半透膜
２５…第１送風装置
２６…第２送風装置
２７…第１配管
２７ａ…第２配管
２８…第１噴射ノズル
２８ａ…第２噴射ノズル
２９…第１ポンプ
２９ａ…第２ポンプ
３１…第１熱交換機
３２…第２熱交換機
３３…圧縮機
３４…四方バルブ弁
【図１】
2004219053.tif 000003
【図２】
2004219053.tif 000004
【図３】
2004219053.tif 000005